(57)【要約】【課題】落下などの衝撃に強く、かつ、テンプルが開く時に加わる力によってもレンズに割れが生じにくい眼鏡を得る。【解決手段】眼鏡１０は、フレーム２０を含む。フレーム２０のリム２２には、レンズ１２が嵌め込まれ、レンズ１２はネジ５６，５８でパッド形成部２８と智３４に取り付けられる。パッド形成部２８部分において、ネジ５６を挿通するために、レンズ１２に丸孔形状の固定貫通孔が形成される。また、智３４部分において、ネジ５８を挿通するために、レンズ１２に長孔形状の遊挿貫通孔が形成される。長孔形状の遊挿貫通孔は、レンズ１２に形成される固定貫通孔と遊挿貫通孔とを結ぶ向きに長くなるように形成される。【選択図】図１
2013167752.tif 000002
【特許請求の範囲】
【請求項１】
レンズと、
顔に装着するためのテンプルを有し、前記レンズを支持するためのフレームと、
前記フレームに前記レンズの２箇所を固定するための固定具とを含み、
前記レンズに前記固定具を嵌め込むための固定穴および遊挿穴が形成され、
前記遊走穴は少なくとも前記固定穴と前記遊挿穴とを結ぶ向きにおいて前記固定具の径より大きい内径を有し、前記テンプルを開くことにより前記フレームに変形が発生したとき、前記固定穴と前記遊挿穴とを結ぶ向きにおいて前記固定具が前記遊挿穴内で変位可能に形成された、眼鏡。
【請求項２】
前記レンズの前記遊挿穴において、前記テンプルを開くことによる前記フレームの変形が発生していないとき、前記固定穴と前記遊挿穴とを結ぶ向きの中間部に前記固定具が配置され、前記テンプルを開くことにより前記フレームに変形が発生したとき、前記固定具は前記固定穴と前記遊挿穴とを結ぶ向きの両側に変位可能である、請求項１に記載の眼鏡。
【請求項３】
前記レンズの前記遊挿穴において、前記テンプルを開くことによる前記フレームの変形が発生していないとき、前記固定穴と前記遊挿穴とを結ぶ向きの一方側に前記固定具が配置され、前記テンプルを開くことにより前記フレームに変形が発生したとき、前記固定具は前記固定穴と前記遊挿穴とを結ぶ向きの他方側に変位可能である、請求項１に記載の眼鏡。
【請求項４】
前記レンズは顔の前面から側面方向に向かうように湾曲し、前記レンズの湾曲部を挟んだ両側に前記固定穴と前記遊挿穴とが形成される、請求項１ないし請求項３のいずれかに記載の眼鏡。
【請求項５】
前記遊挿穴は、前記固定穴と前記遊挿穴とを結ぶ向きに長い穴として形成される、請求項１ないし請求項４のいずれかに記載の眼鏡。
【請求項６】
前記遊挿穴は、前記固定具の径より大きい内径を有する丸い穴として形成される、請求項１ないし請求項４のいずれかに記載の眼鏡。
【請求項７】
前記フレームは、目の上側を通って鼻側から目尻側に向かって延びるリムと、左右の前記リムを連結するためのブリッジと、前記ブリッジの両側において鼻の両側に接するパッドを保持するパッド形成部と、前記パッド形成部の反対側において前記テンプルを開閉可能に保持するための蝶番部を備えた智とを有し、
前記リムに沿って前記レンズの上端部が配置され、前記遊挿穴は前記フレームの前記智側に形成され、前記固定穴は前記フレームの前記ブリッジ側に形成される、請求項１ないし請求項６のいずれかに記載の眼鏡。
【請求項８】
前記リム、前記パッド形成部および前記智に連続する溝が形成され、前記溝に前記レンズの上端部が嵌め込まれて、前記ブリッジ側および前記智側で前記レンズが前記フレームに保持される、請求項７に記載の眼鏡。
【請求項９】
前記リムは前記レンズの上端部近傍において、前記レンズのいずれか一方の面に沿って形成され、前記ブリッジ側および前記智側で前記レンズが前記フレームに保持される、請求項７に記載の眼鏡。
【請求項１０】
前記遊挿穴は前記リムまたは前記智に対応する位置に形成され、前記固定穴は前記パッド形成部または前記リムに対応する位置に形成される、請求項８または請求項９に記載の眼鏡。
【請求項１１】
前記固定穴は前記レンズを貫通する固定貫通孔として形成され、前記遊挿穴は前記レンズを貫通する遊挿貫通孔として形成されて、前記固定貫通孔に前記固定具が挿通されるとともに、前記遊挿貫通孔に前記固定具が挿通される、請求項１ないし請求項１０のいずれかに記載の眼鏡。
【請求項１２】
前記固定貫通孔内および前記遊挿貫通孔内において、前記固定具の周囲に樹脂膜が形成される、請求項１１に記載の眼鏡。
【請求項１３】
前記固定穴は前記レンズに窪み状に形成される固定凹部として形成され、前記遊挿穴は前記レンズに窪み状に形成される遊挿凹部として形成されて、前記固定凹部に前記固定具が嵌め込まれ、前記遊挿凹部に前記固定具が嵌め込まれる、請求項１ないし請求項１０のいずれかに記載の眼鏡。
【請求項１４】
前記固定凹部と前記固定具との間に樹脂膜が形成され、前記遊挿凹部と前記固定具との間に樹脂膜が形成される、請求項１３に記載の眼鏡。
【発明の詳細な説明】
【技術分野】
【０００１】
この発明は、眼鏡に関し、特にたとえば、スポーツサングラスなどの眼鏡に関する。
【背景技術】
【０００２】
図２１は、この発明の背景となる従来の眼鏡の一例を示す図解図である。この眼鏡は、ブレースバー１と鼻当て部２とを備え、ブレースバー１の両端部にツル３が折り畳み可能に取り付けられている。この眼鏡では、ブレースバー１の中央部と鼻当て部２で、レンズ４が保持され、ブレースバー１の両端側においては、レンズ４が保持されていない。
【０００３】
このような構成は、特にスポーツサングラスなどで採用されるものである。スポーツサングラスにおいては、横からの光や風の進入を防止するため、顔の正面から側面方向に大きく曲がるハイカーブレンズと呼ばれるレンズが用いられる。このようなレンズは、たとえば耐衝撃性の優れた合成樹脂で形成されるが、レンズに曲げや圧縮、引張りなどの力が加わると、破損しやすいという性質がある。そのため、ツル３を拡げて眼鏡の着脱をする際に、レンズに力が加わらないように、ブレースバー１の両端部においてレンズ４を固定しない構成としている（特許文献１参照）。
【先行技術文献】
【特許文献】
【０００４】
【特許文献１】特開２００２−２１４５６７号公報
【発明の概要】
【発明が解決しようとする課題】
【０００５】
しかしながら、ブレースバー１の両端側でレンズ４が保持されていない構造では、眼鏡を落としたりして、ブレースバー１の両端側に露出したレンズに衝撃が加わると、その衝撃でレンズ４がフレームから外れやすい。そのため、図２２に示すように、レンズ４の両端部でフレームに固定されることが好ましい。図２２の眼鏡では、ブレースバー１に形成された溝にレンズ４の上端部が嵌め込まれ、レンズ４の湾曲部を挟んだ両端部において、レンズ４がフレームにネジ５で固定されている。
【０００６】
このような構造の眼鏡では、レンズ４はフレームから外れにくいが、ツル３を拡げたときに、図２３に白抜きの矢印で示すように、レンズ４の反りと反対側に力が加わって、レンズ４は反りが小さくなるように変形する。ここで、レンズ４が湾曲した状態で、湾曲部を挟んだ両端部分がブレースバー１にネジ５で固定されているため、２つのネジ５の間におけるレンズ４の長さとその両側のブレースバー１の長さとが異なる。すなわち、レンズ４の湾曲の内側にあるブレースバー１の部分についてはネジ５間の長さはレンズ４より短く、レンズ４の湾曲の外側にあるブレースバー１の部分についてはネジ５間の長さがレンズ４より長い。
【０００７】
ここで、レンズ４の反りが小さくなるように変形すると、レンズ４の湾曲の内側にブレースバー１の部分が存在するため、ブレースバー１のツル３側において、レンズ４に形成されたネジ５を挿通するための貫通孔が相対的にネジ５に対してツル３側に変位する。それにより、図２３に二点鎖線の矢印で示すように、２つのネジ５によって、レンズ４に両端側から圧縮するような力が加わる。このような力がレンズ４に加わると、レンズ４に割れが生じることがある。
【０００８】
それゆえに、この発明の主たる目的は、落下などの衝撃に強く、かつ、テンプルを開くときに加わる力によってもレンズに割れが生じにくい眼鏡を提供することである。
【課題を解決するための手段】
【０００９】
この発明は、レンズと、顔に装着するためのテンプルを有し、レンズを支持するためのフレームと、フレームにレンズの２箇所を固定するための固定具とを含み、レンズに固定具を嵌め込むための固定穴および遊挿穴が形成され、遊挿穴は少なくとも固定穴と遊挿穴とを結ぶ向きにおいて固定具の径より大きい内径を有し、テンプルを開くことによりフレームに変形が発生したとき、固定穴と遊挿穴を結ぶ向きにおいて固定具が遊挿穴内で変位可能に形成された、眼鏡である。
レンズが２箇所でフレームに固定されるため、１箇所でフレームに固定されている場合に比べて眼鏡に加わる衝撃に対して強い構造となり、眼鏡を落としたりしても、レンズがフレームから外れにくい。また、固定具を嵌め込むためにレンズに形成された固定穴と遊挿穴について、遊挿穴が、少なくとも固定穴と遊挿穴とを結ぶ向きにおいて固定具の径より大きい内径を有するため、テンプルを開くことにより、レンズの遊挿穴が固定具に対して相対的に変位しても、固定具が遊挿穴の範囲内で変位する。そのため、テンプルが開くことによってフレームが変形しても、レンズに力が加わらず、レンズに割れが生じにくくなる。
【００１０】
このような眼鏡において、レンズの遊挿穴において、テンプルが開くことによるフレームの変形が発生していないとき、固定穴と遊挿穴とを結ぶ向きの中間部に固定具が配置され、テンプルが開くことによりフレームに変形が発生したとき、固定具は固定穴と遊挿穴とを結ぶ向きの両側に変位可能であるような構成とすることができる。
フレームの形状により、テンプルを開いたときの固定具の変位の向きが異なる場合がある。しかしながら、テンプルが開くことによりフレームに変形が発生したとき、レンズの固定穴と遊挿穴とを結ぶ向きの両側に固定具が変位可能な構成とすることにより、フレームの形状にかかわらず、固定具の変位によりレンズに力が加わらないようにすることができる。
【００１１】
また、レンズの遊挿穴において、テンプルが開くことによるフレームの変形が発生していないとき、固定穴と遊挿穴とを結ぶ向きの一方側に固定具が配置され、テンプルが開くことによりフレームに変形が発生したとき、固定具は固定穴と遊挿穴とを結ぶ向きの他方側に変位可能であるような構成とすることができる。
フレームの形状によって、テンプルが開いてフレームに変形が発生したときの固定具の変位の向きがわかっている場合には、その向きに固定具が変位できるようにしておけばよい。この場合、レンズの遊挿穴において、固定穴と遊挿穴とを結ぶ向きの一方側に固定具を配置しておき、テンプルが開いたときに、レンズの遊挿穴の他方側に向かって固定具が変位する構成とすることができる。
【００１２】
このような眼鏡において、レンズは顔の前面から側面方向に向かうように湾曲し、レンズの湾曲部を挟んで固定穴と遊挿穴とが形成される構成とすることができる。
レンズは湾曲した構造であるため、通常カーブのレンズにおいても上述のような効果を得ることができるが、特に、顔の前面から側面方向に向かうように大きく湾曲したスポーツサングラスなどの眼鏡において顕著な効果を得ることができる。
【００１３】
遊挿穴は、固定穴と遊挿穴とを結ぶ向きに長い穴として形成されることができる。
また、遊挿穴は、固定具の径より大きい内径を有する丸い穴として形成されてもよい。
テンプルを開いてフレームが変形したときに、遊挿穴内において、固定穴と遊挿穴とを結ぶ向きに固定具の位置が変位するため、このような変位でレンズに力が加わらない構成とする必要がある。そこで、遊挿穴は、固定穴と遊挿穴とを結ぶ向きに長い穴として形成されたり、固定具の径より大きい丸い穴として形成されることができる。
【００１４】
また、フレームは、目の上側を通って鼻側から目尻側に向かって延びるリムと、左右のリムを連結するためのブリッジと、ブリッジの両側において鼻の両側に接するパッドを保持するパッド形成部と、パッド形成部の反対側においてテンプルを開閉可能に保持するための蝶番部を備えた智とを有し、リムに沿ってレンズの上端部が配置され、遊挿穴はフレームの智側に形成され、固定穴はフレームのブリッジ側に形成される構成とすることができる。
フレームは、リム、ブリッジ、パッド形成部、パッド、智等を有するが、通常、テンプルを開くとき、フレームの智側に力が加わるため、智側に径の大きい遊挿穴を配置することにより、固定具の位置の変位によりレンズに加わる力を軽減することができる。
【００１５】
上述のような眼鏡において、リム、パッド形成部および智に連続する溝が形成され、溝にレンズの上端部が嵌め込まれて、ブリッジ側および智側でレンズがフレームに保持される構成とすることができる。
また、リムはレンズの上端部近傍において、レンズのいずれか一方の面に沿って形成され、ブリッジ側および智側でレンズがフレームに保持される構成としてもよい。
さらに、遊挿穴はリムまたは智に対応する位置に形成され、固定穴はパッド形成部またはリムに対応する位置に形成される構成とすることができる。
リムとレンズとは、上述のようにさまざまな位置関係にすることができる。また、固定貫通孔はフレームのブリッジ側に形成され、遊挿穴はフレームの智側に形成されるが、このような位置関係を保っていれば、遊挿穴は、リムに対応する位置に形成されてもよいし、智に対応する位置に形成されてもよい。同様に、固定穴は、パッド形成部に対応する位置に形成されてもよいし、リムに対応する位置に形成されてもよい。
【００１６】
なお、固定穴はレンズを貫通する固定貫通孔として形成され、遊挿穴はレンズを貫通する遊挿貫通孔として形成されて、固定貫通孔に固定具が挿通されるとともに、遊挿貫通孔に固定具が挿通される構成とすることができる。
このような構成の眼鏡において、固定貫通孔内および遊挿貫通孔内において、固定具の周囲に樹脂膜が形成されてもよい。
固定穴および遊挿穴は、それぞれ固定貫通孔および遊挿貫通孔として形成することができる。この場合、固定貫通孔および遊挿貫通孔のそれぞれに固定具が挿通され、レンズがフレームに保持される。
ここで、固定貫通孔内および遊挿貫通孔内において、固定具の周囲に樹脂膜を形成しておくことにより、固定具によってレンズが傷つくことを防止することができる。
【００１７】
また、固定穴はレンズに窪み状に形成される固定凹部として形成され、遊挿穴はレンズに窪み状に形成される遊挿凹部として形成されて、固定凹部に固定具が嵌め込まれ、遊挿凹部に固定具が嵌め込まれる構成とすることができる。
ここで、固定凹部と固定具との間に樹脂膜が形成され、遊挿凹部と固定具との間に樹脂膜が形成されてもよい。
固定穴および遊挿穴は、それぞれレンズに窪み状に形成される固定凹部および遊挿凹部として形成することができる。この場合、固定凹部および遊挿凹部のそれぞれに固定具が嵌めこまれて、レンズがフレームに保持される。
ここで、固定凹部と固定具との間および遊挿凹部と固定具との間に樹脂膜が形成されることにより、固定具によってレンズが傷つくことを防止することができる。
【発明の効果】
【００１８】
この発明によれば、落下などの衝撃に強く、かつ、テンプルを開くときに加わる力によってもレンズに割れが生じにくい眼鏡を得ることができる。
【００１９】
この発明の上述の目的，その他の目的，特徴および利点は、図面を参照して行う以下の発明を実施するための形態の説明から一層明らかとなろう。
【図面の簡単な説明】
【００２０】
【図１】この発明の眼鏡の一例を示す図解図である。
【図２】図１に示す眼鏡に用いられるフレームを下からみた平面図である。
【図３】図１に示す眼鏡の蝶番部を示す図解図である。
【図４】図１に示す眼鏡に用いられるレンズを示す図解図である。
【図５】図１に示す眼鏡のブリッジ側におけるレンズの取り付け部を示す図解図である。
【図６】図１に示す眼鏡の智側におけるレンズの取り付け部を示す図解図である。
【図７】図１に示す眼鏡のパッド形成部におけるフレームとレンズの取り付け構造を示す図解図である。
【図８】図１に示す眼鏡の智におけるフレームとレンズの取り付け構造を示す図解図である。
【図９】図１に示す眼鏡のフレームを開いた状態を示す図解図である。
【図１０】図９に示す眼鏡のフレームを開いた状態における智側のレンズの貫通孔とネジとの関係を示す図解図である。
【図１１】図１に示す眼鏡の変形例における智側のレンズの貫通孔とネジとの関係を示す図解図である。
【図１２】この発明の他の例における智側のレンズの貫通孔とネジとの関係を示す図解図である。
【図１３】この発明の眼鏡の他の例を示す図解図である。
【図１４】この発明の眼鏡のさらに他の例を示す図解図である。
【図１５】図１に示す眼鏡のパッド形成部におけるフレームとレンズの取り付け構造の他の例を示す図解図である。
【図１６】図１に示す眼鏡の智におけるフレームとレンズの取り付け構造の他の例を示す図解図である。
【図１７】この発明の眼鏡の別の例におけるパッド形成部におけるフレームとレンズの取り付け構造を示す図解図である。
【図１８】図１に示す眼鏡の別の例における智におけるフレームとレンズの取り付け構造を示す図解図である。
【図１９】図１７に示すパッド形成部におけるレンズの構成を示す図解図である。
【図２０】図１８に示す智におけるレンズの構成を示す図解図である。
【図２１】従来の眼鏡の一例を示す図解図である。
【図２２】好ましい眼鏡の例を示す図解図である。
【図２３】眼鏡のフレームを開いたときにレンズに加わる力を示す図解図である。
【発明を実施するための形態】
【００２１】
図１はこの発明の眼鏡の一例を示す図解図であり、図２はこの眼鏡に用いられるフレームを下から見た平面図である。眼鏡１０は、左右のレンズ１２を含む。レンズ１２は、通常、ある程度湾曲するように形成されているが、特に、スポーツサングラスなどの場合、頭部の横から風や光が入らないように、顔の前面から目尻側に向かって大きく湾曲するように形成される。この発明は、特に、このような大きい湾曲を有するレンズを用いた眼鏡に適用されることにより、大きい効果を得ることができるものである。
【００２２】
眼鏡１０がスポーツサングラスである場合、たとえば、５００ｎｍ以下の短波長光をカットし、それ以外の光を多く通す遮光レンズが用いられる。特に、激しいスポーツに用いられる場合には、優れた強度と歪みの少ない光学特性をもつ樹脂などで形成されたレンズが用いられる。
【００２３】
眼鏡１０がスポーツサングラスである場合、上述のように、レンズ１２は、顔の前面から側面に向かって湾曲するようにして、目を覆うように形成される。したがって、レンズ１２の上端部が目の上側に形成され、レンズ１２の下端部が目の下側に形成され、レンズ１２の一方側端部が鼻に沿って目頭を覆うように形成され、レンズ１２の他方側端部が目尻を覆うように形成される。
【００２４】
レンズ１２は、フレーム２０に取り付けられる。フレーム２０は、レンズ１２を支持するためのリム２２を含む。リム２２は、レンズ１２の上端部の形状に合わせた形状に形成される。つまり、リム２２は、レンズ１２の全周を囲繞するのではなく、顎側のリムを含まず、額側に位置して鼻から左右の目尻に至る領域に亘る形状に形成される。さらに、図２に示すように、フレーム２０を下からみたとき、リム２２は、レンズ１２の湾曲形状に合わせて湾曲するように形成される。したがって、スポーツサングラスなどの場合、フレーム２０を下から見たとき、リム２２は、人の額の下の領域に沿って、眼鏡１０を装着した人の額及び目の前方に膨らむように湾曲して形成される。リム２２の下面には、鼻側から目尻側にかけて連続するように、レンズ１２を装填するための溝２４が形成され、この溝２４にレンズ１２の上端部分が嵌め込まれる。左右のレンズ１２を支持するためのリム２２は、ブリッジ２６で連結される。
【００２５】
さらに、ブリッジ２６の両側において、リム２２から斜め下方向に向かって延びるように、パッド形成部２８が形成される。パッド形成部２８は、眼鏡１０を装着したとき、鼻の両側に配置されるように、リム２２から下方向に向かって徐々に広がるように形成される。パッド形成部２８には、リム２２の湾曲方向の内側に向かって突出するパッド３０が形成される。パッド３０は、たとえば柔らかい樹脂で形成される。そして、パッド３０は、眼鏡１０を装着したときに鼻に当たって、眼鏡１０を所定の位置で安定させる。さらに、パッド形成部２８には、溝３２が形成される。パッド形成部２８の溝３２は、リム２２の溝２４に連続して形成される。
【００２６】
さらに、ブリッジ２６に連結された２つのリム２２の両端部には、智３４が形成される。智３４は、パッド形成部２８に対向するように、リム２２の端部から下方向に向かって延びるように形成される。智３４には、リム２２の溝２４に連続して、溝３６が形成される。したがって、リム２２の溝２４、パッド形成部２８の溝３２および智３４の溝３６が連続して形成され、溝２４にレンズ１２の上端部が嵌め込まれ、溝３２，３６にレンズ１２の側端部の一部が嵌め込まれる。
【００２７】
また、図３に示すように、ブリッジ２６に連結されたリム２２の両端側において、智３４には蝶番部３８が形成される。この蝶番部３８を介して、テンプル４０が折り畳み可能に智３４に取り付けられる。蝶番部３８は、リム２２の湾曲の内側に向かって開口する切込み部４２を含む。この切込み部４２に向かって、蝶番部３８の下面に貫通孔４４が形成される。さらに、蝶番部３８の切込み部４２の内側において、貫通孔４４に対向する面に雌ネジ部４６が形成される。したがって、貫通孔４４を通して切込み部４２内を通過するように、ネジ４８を雌ネジ部４６に螺入することができる。
【００２８】
テンプル４０の端部には、蝶番部３８の切込み部４２に嵌り込む突出部５０が形成される。突出部５０は例えば板状に形成され、板状の突出部５０に貫通孔５２が形成される。突出部５０は蝶番部３８の切込み部４２に嵌め込まれ、この状態で、ネジ４８が蝶番部３８の貫通孔４４および突出部５０の貫通孔５２に通されて、雌ネジ部４６に螺入される。したがって、テンプル４０は、リム２２に対して開閉可能に蝶番部３８に取り付けられる。なお、切込み部４２は、リム２２の湾曲の内側に向かって開口するように形成されているため、テンプル４０を開いたとき、突出部５０が切込み部４２の内側の壁に当たって、所定の位置より外側には開かないようになっている。
【００２９】
さらに、蝶番部３８から延びるテンプル４０の先端側には、モダン５４が形成される。モダン５４は、テンプル４０から若干下方向に下がるように形成される。そして、眼鏡１０を装着したときに、モダン５４が耳にかかって、眼鏡１０の位置を安定させる。
【００３０】
このフレーム２０に、レンズ１２が取り付けられる。レンズ１２の上端近傍には、図４に示すように、固定穴および遊挿穴が形成される。固定穴および遊挿穴として、例えば、レンズ１２の厚み方向に貫通する固定貫通孔１４および遊挿貫通孔１６を形成することができる。
【００３１】
固定貫通孔１４は、丸孔として形成され、レンズ１２をフレーム２０に取り付けるときに、パッド形成部２８側となる位置に形成される。固定貫通孔１４の形成位置は、パッド形成部２８側であれば、パッド形成部２８に対応する位置でもよいし、リム２２に対応する位置でもよい。また、遊挿貫通孔１６は、レンズ１２をフレーム２０に取り付けるときに、智３４側となる位置に形成される。遊挿貫通孔１６の形成位置は、智３４側であれば、リム２２に対応する位置でもよいし、智３４に対応する位置でもよい。遊挿貫通孔１６は、固定貫通孔１４と遊挿貫通孔１６とを結ぶ向きに長く、固定貫通孔１４と遊挿貫通孔１６とを結ぶ向きと交差する向きに短い長孔として形成される。遊挿貫通孔１６の形状としては、たとえば、楕円形、長方形、図４に示すような長方形の長手方向の両端部が半円形に突出した形状等、さまざまな形状を採用することができる。
【００３２】
レンズ１２は、リム２２の溝２４、溝２４に続いて鼻側に形成されたパッド形成部２８の溝３２、溝２４に続いて目尻側に形成された智３４の溝３６に嵌め込まれる。そして、図５に示すように、レンズ１２の固定貫通孔１４に対応する位置において、レンズ１２は、一方の固定具としてのネジ５６でパッド形成部２８に取り付けられる。また、図６に示すように、レンズ１２の遊挿貫通孔１６に対応する位置において、レンズ１２は、他方の固定具としてのネジ５８で智３４に取り付けられる。したがって、レンズ１２の固定貫通孔１４と遊挿貫通孔１６とを結ぶ線がリム２２に略平行となるように、レンズ１２がフレーム２０に取り付けられる。なお、固定貫通孔１４および遊挿貫通孔１６がリム２２に対応する位置に形成されている場合、固定貫通孔１４および遊挿貫通孔１６は、ネジ５６，５８でリム２２に取り付けられる。
【００３３】
パッド形成部２８においては、図７に示すように、レンズ１２の鼻側の内側端部が溝３２に嵌め込まれ、固定貫通孔１４にネジ５６が通される。したがって、レンズ１２の固定貫通孔１４に対応して、パッド形成部２８に貫通孔２８ａおよび雌ネジ部２８ｂが形成される。ここで、たとえば、貫通孔２８ａはリム２２の湾曲の内側に形成され、雌ネジ部２８ｂは溝３２の内側において貫通孔２８ａに対向する位置に形成される。レンズ１２の固定貫通孔１４の直径は、ネジ５６の直径より若干大きい程度に形成される。
【００３４】
同様に、智３４においては、図８に示すように、レンズ１２の目尻側の外側端部が溝３６に嵌め込まれ、遊挿貫通孔１６にネジ５８が通される。したがって、レンズ１２の遊挿貫通孔１６に対応して、智３４に貫通孔３４ａおよび雌ネジ部３４ｂが形成される。ここで、たとえば、貫通孔３４ａはリム２２の湾曲の内側に形成され、雌ネジ部３４ｂは溝３６の内側において貫通孔３４ａに対向する位置に形成される。
【００３５】
遊挿貫通孔１６の長軸方向の長さは、ネジ５８の直径より大きく形成される。ここで、遊挿貫通孔１６の長軸方向において、ネジ５８の両側に１．４〜２．０ｍｍ程度の余裕があるように形成されることが好ましい。また、遊挿貫通孔１６の短軸方向の長さは、ネジ５８の直径より若干大きい程度に形成される。
【００３６】
このように、レンズ１２は、リム２２の溝２４、パッド形成部２８の溝３２、智３４の溝３６に嵌め込まれて、ネジ５６，５８を用いてフレーム２０に取り付けられる。つまり、ネジ５６，５８により溝２４，３２，３４内のレンズ１２がリム２２、パッド形成部２８、智３４で挟み込まれて保持される。そして、テンプル４０を開くことにより、眼鏡１０を装着することができる。この眼鏡１０においては、レンズ１２の２箇所において、ネジ５６，５８でフレーム２０に固定されているため、落下などの衝撃が加わっても、レンズ１２の端部が智３４で覆われているため、レンズ１２がフレーム２０から外れにくい。
【００３７】
ここで、図９に示すように、テンプル４０を所定の位置より外側に開くと、リム２２が反りを小さくするように変形する。それにともなって、レンズ１２も反りを小さくするように変形し、図２３において説明したように、智３４側において、レンズ１２の遊挿貫通孔１６がネジ５８に対して相対的にテンプル４０側に変位する。このとき、智３４部分においては、レンズ１２に長孔形状に遊挿貫通孔１６が形成されているため、図１０に示すように、溝２４，３６内でレンズ１２がリム２２および智３４に対して若干変位し、ネジ５８の位置がレンズ１２の遊挿貫通孔１６の一方側、すなわちフレーム２０のブリッジ２６側に向かって移動する。したがって、ネジ５８の位置の変位によって、レンズ１２には、その両端から内側に向かうような力が働かない。このように、テンプル４０を所定の位置より外側に開いたとき、レンズ１２が湾曲を小さくするように変形するが、ネジ５８がレンズ１２に当たらず、レンズ１２がネジ５８から力を受けることがないため、レンズ１２が破損しにくい。
【００３８】
なお、図１に示す眼鏡の場合、テンプル４０を開くことによって、ネジ５８はレンズ１２の遊挿貫通孔１６内において、ブリッジ２６側に変位する。そのため、テンプル４０が開いていないとき、図１１に示すように、長孔形状の遊挿貫通孔１６のテンプル４０側にネジ５８が配置されていてもよい。つまり、少なくとも、テンプル４０が開いたときに、ネジ５８が変位する側に、遊挿貫通孔１６が開口していればよい。
【００３９】
このように、レンズ１２が破損しにくくするためには、テンプル４０を所定の位置より外側に開いたときに、ネジ５８によってレンズ１２に力が加わらないようにすればよい。そのため、智３４部分において、レンズ１２に長孔形状の遊挿貫通孔１６を形成することに限らず、図１２に示すように、ネジ５８の直径より大きい丸孔形状の遊挿貫通孔１８を形成してもよい。この場合、たとえば、ネジ５８の周囲に１．４〜１．８ｍｍ程度の余裕があるように、遊挿貫通孔１８が形成される。このように、テンプル４０が開いたときに、ネジ５８がレンズ１２の遊挿貫通孔１８内で移動できる構造であれば、レンズ１２の破損を防止することができる。
【００４０】
なお、上述の例では、リム２２に溝２４が形成されている眼鏡１０について説明したが、図１３に示すように、リム２２に溝が形成されず、レンズ１２の湾曲の外側にのみリム２２が配置されている場合、長孔形状の遊挿貫通孔１６内におけるネジ５８の挙動は上述の例と反対になる。
【００４１】
図１３に示すような眼鏡１０の場合、テンプル４０が開くと、リム２２およびレンズ１２は、それらの反りが小さくなるように変形する。ここで、ネジ５６とネジ５８との間の長さを比べると、湾曲の外側にあるリム２２のほうが湾曲の内側にあるレンズ１２よりも長い。そこで、反りが小さくなるようにリム２２およびレンズ１２が変形すると、遊挿貫通孔１６はネジ５８に対して相対的にブリッジ２６側に向かって変位する。そのため、図１０の場合とは反対に、テンプル４０側に向かって長孔形状の遊挿貫通孔１６内をネジ５８が変位する。つまり、ネジ５８は、フレーム２０の外側に向かって遊挿貫通孔１６内を移動する。
【００４２】
このように、テンプル４０を開くことによって、ネジ５８がフレーム２０の外側に向かって変位する場合、レンズ１２にネジ５８の直径とほぼ同じ内径の丸孔が形成されていると、レンズ１２に引張り力が加わるため、レンズ１２が破損する恐れがある。しかしながら、レンズ１２に長孔形状の遊挿貫通孔１６や大きい丸孔形状の遊挿貫通孔１８を形成しておくことにより、テンプル４０が開いたときに、レンズ１２に引張り力が加わることを防止することができる。
【００４３】
このような眼鏡１０においても、テンプル４０が所定の位置より開いていないときに、図６に示すように、レンズ１２の長孔形状の遊挿貫通孔１６の中間部にネジ５８が配置されていれば、遊挿貫通孔１６内における上述のようなネジ５８の移動に対応することができる。つまり、テンプル４０が開いていないときに、長孔形状や大きい丸孔形状の遊挿貫通孔１６の中間部にネジ５８が配置されていれば、テンプル４０が開いたときにネジ５８がどちらに変位する場合にも対応することができる。したがって、フレーム２０の形状により、遊挿貫通孔１６内のネジ５８の位置を変える必要がない。
【００４４】
もちろん、テンプル４０が開くことによってネジ５８がテンプル４０側に変位する眼鏡１０において、テンプル４０が開いていないときに、図１０に示すように、ネジ５８がブリッジ２６側に配置されていてもよい。この場合、テンプル４０が開くことによって、図１１に示すように、レンズ１２の遊挿貫通孔１６内において、テンプル４０側に向かってネジ５８が移動する。このように、テンプル４０が開いたときに、ネジ５８の移動する向きに応じて、レンズ１２の長孔形状の遊挿貫通孔１６や大きい丸孔形状の遊挿貫通孔１８の一方側にネジ５８が配置された構成を採用することができる。
【００４５】
また、図１４に示すように、眼鏡１０は、レンズ１２の湾曲の内側にのみリム２２が配置されている構成であってもよい。このような眼鏡１０の場合、ネジ５６とネジ５８との間の長さを比べると、湾曲の外側にあるレンズ１２のほうが湾曲の内側にあるリム２２より長い。この場合、図１に示すようなリム２２、パッド形成部２８、智３４に形成された溝にレンズ１２が嵌め込まれているのと同様に、テンプル４０が開いたときに、ネジ５８が長孔形状の遊挿貫通孔１６または大きい丸孔形状の遊層貫通孔１８に対して相対的にブリッジ２６側に向かって変位する。したがって、テンプル４０が開いたときに、ネジ５８が遊挿貫通孔１６や遊挿貫通孔１８内を移動することができるように、これらの遊挿貫通孔１６や遊挿貫通孔１８を形成しておけばよい。
【００４６】
なお、上述の各例において、レンズ１２をフレーム２０に保持するためのネジ５６，５８の周囲に、樹脂膜６０が取り付けられてもよい。樹脂膜６０は、たとえばシリコーン樹脂などで形成される。たとえば、図１５に示すように、パッド形成部２８において、筒状の樹脂膜６０に挿通したネジ５６をパッド形成部２８の貫通孔２８ａおよびレンズ１２の固定貫通孔１４に挿通し、パッド形成部２８の雌ネジ部２８ｂに螺入することにより、レンズ１２がパッド形成部２８に保持される。
【００４７】
同様に、図１６に示すように、智３４において、筒状の樹脂膜６０に挿通したネジ５８を智３４の貫通孔３４ａおよびレンズ１２の長孔形状の遊挿貫通孔１６に挿通し、智３４の雌ネジ部３４ｂに螺入することにより、レンズ１２が智３４に保持される。もちろん、レンズ１２に大きい丸孔形状の遊挿貫通孔１８が形成されている場合も、同様に、筒状の樹脂膜６０に挿通したネジ５８を智３４の貫通孔３４ａおよびレンズ１２の遊挿貫通孔１８に挿通し、智３４の雌ネジ部３４ｂに螺入することにより、レンズ１２が智３４に保持される。
【００４８】
このように、樹脂膜６０がネジ５６，５８とレンズ１２との間の緩衝材として働き、ネジ５６，５８が当たることによって生じるレンズ１２の破損を防止することができる。特に、智３４においては、テンプル４０を開閉することにより、遊挿貫通孔１６内や遊層貫通孔１８内でネジ５８が変位するため、ネジ５８が変位したときにレンズ１２に当たって破損することを防止することができる。
【００４９】
これまで説明してきた眼鏡１０においては、レンズ１２に形成される固定穴および遊挿穴として、固定貫通孔１４および遊挿貫通孔１６が形成されているが、このような貫通孔に代えて、レンズ１２に窪み状の固定凹部７０および遊挿凹部７２が形成されてもよい。つまり、図１７に示すように、パッド形成部２８において、レンズ１２に形成される固定穴として、窪み状の有底の固定凹部７０が形成される。固定凹部７０は、図４の固定貫通孔１４に対応した平面視円形の凹部として形成される。そして、リム２０の溝２４、パッド形成部２８の溝３２、智３４の溝３６にレンズ１２が嵌め込まれた状態で、レンズ１２の固定凹部７０に対応する位置において、パッド形成部２８に雌ネジ部２８ｃが形成される。この雌ネジ部２８ｃに固定具としてのネジ５６が螺入され、ネジ５６の端部がレンズ１２の固定凹部７０内に嵌め込まれる。このとき、固定凹部７０の内面とネジ５６との間に、シリコーン樹脂などで形成された樹脂膜６２が配置されることが好ましい。
【００５０】
同様に、智３４において、レンズ１２に形成される遊挿穴として、窪み状の有底の遊挿凹部７２が形成される。遊挿凹部７２は、図４の長孔形状の遊挿貫通孔１６に対応した形状の長尺状に形成される。そして、リム２０の溝２４、パッド形成部２８の溝３２、智３４の溝３６にレンズ１２が嵌め込まれた状態で、レンズ１２の遊挿凹部７２に対応する位置において、智３４に雌ネジ部３４ｃが形成される。この雌ネジ部３４ｃに固定具としてのネジ５８が螺入され、ネジ５８の端部がレンズ１２の遊挿凹部７２内に嵌め込まれる。このとき、遊挿凹部７２の内面とネジ５８との間に、シリコーン樹脂などで形成された樹脂膜６２が配置されることが好ましい。もちろん、長尺状の遊挿凹部７２の代わりに、図１２に示すような大きい丸孔形状の遊挿貫通孔１８に対応する大きい丸形状の遊挿凹部が形成されてもよい。この場合も、遊挿凹部の内面とネジ５８との間に、樹脂膜６２が配置される。
【００５１】
固定凹部７０の内面とネジ５６との間に樹脂膜６２を配置するために、たとえば、図１９に示すように、レンズ１２の固定凹部７０内に平面視円形で断メンン形状が略半円状の樹脂膜６２を入れて、レンズ１２がリム２０の溝２４、パッド形成部２８の溝３２、智３４の溝３６に嵌め込まれ、ネジ５６が雌ネジ部２８ｃに螺入される。同様に、図２０に示すように、レンズ１２の遊挿凹部７２にも、平面視略楕円形で、縦断面形状が略弓形で、横断面形状が略半円状の樹脂膜６２を入れておくことにより、遊挿凹部７２の内面とネジ５８との間に樹脂膜６２を配置することができる。もちろん、レンズ１２に長尺状の遊挿凹部７２に代えて、大きい丸形状の遊挿凹部を形成した場合も同様である。
【００５２】
このように、レンズ１２に固定凹部７０および遊挿凹部７２を形成した場合においても、テンプル４０を開いたときの遊挿凹部７２内のネジ５８の変位は、固定貫通孔１４および遊挿貫通孔１６を形成したレンズ１２を用いた眼鏡と同様である。つまり、テンプル４０を所定の位置より大きく拡げても、ネジ５８が長尺状の遊挿凹部７２や大きい丸形状の遊挿凹部の内部で変位し、レンズ１２には当たらないため、レンズ１２が破損することを防止することができる。
【００５３】
このように、レンズ１２に固定凹部７０や遊挿凹部７２を形成した場合においても、樹脂膜６２が緩衝材となって、ネジ５６やネジ５８が直接レンズ１２に当たらないため、レンズ１２が破損することを防止することができる。
【００５４】
以上のように、フレーム２０の構造により、テンプル４０を開いたときに、ネジ５８がフレーム２０の内側に向かって変位したり、フレーム２０の外側に向かって変位したりするが、いずれにしても、長孔形状の遊挿貫通孔１６や大きい丸孔形状の遊挿貫通孔１８、あるいは長尺状の遊挿凹部７２や大きい丸形状の遊挿凹部を形成することにより、レンズ１２に力が加わらないようにすることができる。
【産業上の利用可能性】
【００５５】
上述の例では、主としてスポーツサングラスについて説明したが、この眼鏡の構造は、たとえば医療用眼鏡などの他の用途に用いられる眼鏡にも応用することができる。
【符号の説明】
【００５６】
１０  眼鏡
１２  レンズ
１４  丸孔形状の固定貫通孔
１６  長孔形状の遊挿貫通孔
１８  大きい丸孔形状の遊挿貫通孔
２０  フレーム
２２  リム
２６  ブリッジ
２８  パッド形成部
３０  パッド
３４  智
３８  蝶番部
４０  テンプル
５４  モダン
５６  ネジ
５８  ネジ
６０  樹脂膜
６２  樹脂膜
７０  固定凹部
７２  遊挿凹部
【図１】
2013167752.tif 000003
【図２】
2013167752.tif 000004
【図３】
2013167752.tif 000005
【図４】
2013167752.tif 000006
【図５】
2013167752.tif 000007
【図６】
2013167752.tif 000008
【図７】
2013167752.tif 000009
【図８】
2013167752.tif 000010
【図９】
2013167752.tif 000011
【図１０】
2013167752.tif 000012
【図１１】
2013167752.tif 000013
【図１２】
2013167752.tif 000014
【図１３】
2013167752.tif 000015
【図１４】
2013167752.tif 000016
【図１５】
2013167752.tif 000017
【図１６】
2013167752.tif 000018
【図１７】
2013167752.tif 000019
【図１８】
2013167752.tif 000020
【図１９】
2013167752.tif 000021
【図２０】
2013167752.tif 000022
【図２１】
2013167752.tif 000023
【図２２】
2013167752.tif 000024
【図２３】
2013167752.tif 000025